(57)【特許請求の範囲】
【請求項１】
合成樹脂製の便座を、着座者側の上面を構成する上部材と、反対側の下面を構成する下部材との二部材で構成し、下部材の底部に下方に向けて突曲する脚部を形成し、該脚部の壁部と下部材の下面部とでなすコーナー部の内面から上部材を支持するための支持部を突出して成ることを特徴とする便座。
【発明の詳細な説明】
【技術分野】
【０００１】
本発明は上下２分割された上部材と下部材とで構成される便座に関する。
【背景技術】
【０００２】
従来の便座としては、例えば特許文献１に示すように、便座を、着座者側となる上面を構成する上部材と、反対側の下面を構成する下部材との二部材で構成したものがある。
【０００３】
この種の便座は、着座者からの荷重を下部材における上部材との接合部である内周縁部及び外周縁部のみで受け、これを脚部を介して便器側に伝えるものである。このため便座に応力集中が生じて便座が変形したり破損したりする恐れがある。
【特許文献１】特開２００６−４９１号公報
【発明の開示】
【発明が解決しようとする課題】
【０００４】
本発明は上記従来の問題点に鑑みてなされたものであって、便座の変形や破損を防止し、しかも外観の良い便座を提供することを課題とする。
【課題を解決するための手段】
【０００５】
上記課題を解決するために本発明に係る便座は、合成樹脂製の便座１を、着座者側の上面を構成する上部材７と、反対側の下面を構成する下部材８との二部材で構成し、下部材８の下面部１３に下方に向けて突曲する脚部１４を形成し、該脚部１４の壁部と下部材８の下面部とでなすコーナー部１８の内面から上部材７を支持するための支持部１９を突出して成ることを特徴とする。
【発明の効果】
【０００６】
本発明にあっては、上部材に加わる着座者の荷重を下部材の支持部で受けて、上部材から下部材に加わる荷重を分散し、便座の変形や破損を防止できる。また、支持部を脚部の底部ではなく下部材の下面部と脚部の壁部とでなすコーナー部の内面に形成しているので、便座を起立させたときに外観上目立つ脚部の下面にヒケが発生することを防止できる。また仮にヒケが生じたとしても、このヒケは目立ち難いコーナー部の外面に生じるため、外観が阻害されることもない。
【発明を実施するための最良の形態】
【０００７】
以下、本発明の実施形態を図１乃至８に基づいて説明する。なお、以下の説明で用いる方向は通常の姿勢で便座１に着座した使用者（着座者）を基準とするものであり、つまり以下の説明における前方は着座者の前方を意味する。また、以下の説明では、特に記載する場合を除き、便座１及び便蓋２６を前方に倒して便座１を便器本体２上に載置した状態につき説明する。
【０００８】
本実施形態の便座１は図２に示す便器に用いられる暖房便座であって、便座１の内部には便座１の表面を加熱するためのヒータ等の加熱手段（図示せず）が内装される。
【０００９】
図１に示す便座１は平面視環状の着座部４の左右両側端部から被取付部５を後側に向けて一体に突出してなる。図２に示すように、左右両側の被取付部５の間には便器本体２の後部から上方に突出した取付部２７が配置される。各被取付部５を取付部２７の側面部に枢支することで、便座１は取付部２７に上下方向に回動自在に取り付けられる。
【００１０】
また、取付部２７の両側には便蓋２６の後部が枢支され、これら便器本体２、便座１、便蓋２６で便器が構成される。
【００１１】
着座部４の中央の開口６は前後に長い略楕円形に形成されている。着座部４の後方を除く外周は平面視で開口６の周縁に概ね沿っており、着座部４は前側程徐々に左右の幅が狭くなっている。
【００１２】
図７等に示すように、便座１は上面、外周面、及び内周面を構成する上部材７と、下面を構成する下部材８との二部材で構成され、上部材７及び下部材８は共に合成樹脂製である。
【００１３】
便座１を上下に２分割してなる上部材７及び下部材８のうち、上部材７は、着座部４の外周面と内周面の夫々を構成する外周壁部１０と内周壁部１１の間には下方に開口する環状の空洞部３が形成されている。
【００１４】
下部材８は便器本体２の略水平な上面と略平行な板状で平面視環状の下面部１３を備えており、該下面部１３により着座部４の下面を構成している。下部材８の下面部１３は空洞部３の下方を閉塞して空洞部３を略密閉された空間としており、この空洞部３に前記加熱手段が収納される。
【００１５】
下部材８の下面部１３の外周縁及び内周縁から立ち上げた立上部１２は外周壁部１０及び内周壁部１１に接着や溶着等により接合される。
【００１６】
図４に示すように、環状の下面部１３の後部両側には下面部１３の厚みと略同じで且つ下方に向けて突曲した凹状の脚部１４が下面部１３と一体に形成されている。各脚部１４は下面部１３の外側端部で且つ左右対称となる位置に配置されている。
【００１７】
各脚部１４は下面部１３の外周縁に沿って長い略楕円形状に形成されており、各脚部１４の前壁部１５及び後壁部１６は平面視で弧状に湾曲している。また、各脚部１４の前記前壁部１５及び後壁部１６を含む周壁部１７は上側程徐々に周壁部１７の外方に位置するよう湾曲している。
【００１８】
上記下部材８の下面部１３と該下面部１３より下方に突出した各脚部１４の周壁部１７とで成すコーナー部１８の内面からは上部材７を支持するための支持部１９が突出している。
【００１９】
本実施形態では、下面部１３と各脚部１４の前壁部１５とで成す前側コーナー部１８ａと、下面部１３と各脚部１４の後壁部１６とで成す後側コーナー部１８ｂの夫々に支持部１９を形成している。
【００２０】
上記各脚部１４の前後両側に設けた支持部１９は前壁部１５又は後壁部１６から上方に突出するものであり、図６に示すように円柱状の柱部２０と、柱部２０の外周面から突出した補強用のリブ２１とで構成される。
【００２１】
リブ２１は各支持部１９の柱部２０に周方向に複数形成してあり、各リブ２１は柱部２０の上下方向の全長又は略全長に亘っている。本実施形態では、各支持部１９のリブ２１は柱部２０の左右両側に設けてあり、また、各脚部１４の前側に設けた支持部１９にあっては柱部２０の後側に、各脚部１４の後側に設けた支持部１９にあっては柱部２０の前側にリブ２１を設けてある。
【００２２】
各支持部１９の左右のリブ２１はその下端が接続された前壁部１５又は後壁部１６と同様に平面視で弧状に湾曲している。なお、各支持部１９の柱部２０及び各リブ２１は脚部１４の底部には直接接続されていない。
【００２３】
図３に示すように上記各支持部１９の上端面は着座部４の上面を構成する上部材７の上面部９の内面に当接し、これにより上部材７を支持する。
【００２４】
なお、支持部１９は、柱部２０の上端面と全てのリブ２１の上端面を上部材７の上面部９の内面に当接するのが好ましいが、柱部２０の上端面と任意のリブ２１の上端面だけを上面部９の内面に当接しても良く、また、柱部２０の上端面だけを上部材７の上面部９の内面に当接しても良いものとする。また、各支持部１９の上端を上部材７に当接せず、上面部９の下方にわずかな隙間を介して配置し、着座者の荷重により上部材７の上面部９が下方に撓んだとき各支持部１９の上端で上部材７の上面部９を支持するようにしても良いものとする。
【００２５】
また、図４等に示すように、下部材８の下面部１３の前部両側には、使用者が便座１の着座部４上に着座したことを検出するための手段として着座検知装置２２を設けている。図８に示すように、各着座検知装置２２は、マイクロスイッチからなるスイッチ２３と、着座時にスイッチ２３を切替操作する操作部材２４を備えている。
【００２６】
スイッチ２３及び操作部材２４は共に下部材８の下面部１３に取り付けられる。操作部材２４は上方に開口する略凹状のゴム材からなり、操作部材２４の底部中央には上方に向けてスイッチ操作部２５を突出している。
【００２７】
上記便座１を使用するときには、便座１を取付部２７に対して回動し、便座１の下面に設けた各脚部１４の底部と各操作部材２４の底部２８を便器本体２の上面に載置する。つまり各脚部１４のみならず各操作部材２４も便座１の脚として機能するものであり、便座１は後部両側の脚部１４と前部両側の操作部材２４の４点で支持される。
【００２８】
上記便器本体２上に載置した便座１に使用者が着座すると、この着座者の荷重は上部材７から下部材８に伝わり、下部材８の各脚部１４及び各操作部材２４を介して便器本体２に伝わる。
【００２９】
上記着座者からの荷重により各着座検知装置２２の操作部材２４が弾性変形して便座１の前側は若干下方に移動する。このとき、各操作部材２４のスイッチ操作部２５によりスイッチ２３が切替えられて便座１に使用者が着座したことが検知される。この検知結果は加熱手段や、便器本体２に設けられる脱臭装置や洗浄装置等の各種装置の動作制御に用いられる。
【００３０】
ここで、上記上部材７の上面部９に加わる着座者の荷重は、下部材８における上部材７との接合部である内外の周縁部と、各支持部１９の上端に伝わる。このため上部材７から下部材８に加わる荷重を分散することができ、薄肉の便座１の変形や破損を防止できる。
【００３１】
また、各支持部１９に加わった荷重は直下に位置する便器本体２上に載置された脚部１４に直接伝わり、上部材７の外周壁部１０や内周壁部１１、下部材８の下面部１３等には大きな荷重が加わらないようになっている。従ってより一層便座１の変形や破損を防止できる。
【００３２】
また、脚部１４の底部から上部材７を支持するための支持部を突出することが考えられるが、このように合成樹脂製品である下部材８の脚部１４に支持部を形成した場合、脚部１４の薄肉の底部の外面において「ヒケ」が生じ、このヒケが便座１を起立させたときに外観上目立って見栄えを悪くする恐れがある。
【００３３】
しかし、本実施形態では上記支持部１９を脚部１４の底部ではなく下部材８の下面部１３と脚部１４の壁部とでなす支持部１９に対して厚肉となったコーナー部１８の内面に形成してあるので、上記ヒケの発生を抑えることができる。また仮にヒケが生じたとしてもこのヒケは目立ち難い脚部１４の根元部に位置するコーナー部１８の外面に生じるものであり、外観が阻害されることもない。
【図面の簡単な説明】
【００３４】
【図１】本発明の実施の形態の一例を示す便座の要部断面図である。
【図２】同上の便座が取り付けられる便器の分解斜視図である。
【図３】同上の便座の斜視図である。
【図４】同上の下部材を示し、（ａ）は底面図、（ｂ）は側面図、（ｃ）は側断面図である。
【図５】同上の下部材の要部側面図である。
【図６】同上の下部材の要部斜視図である。
【図７】同上の下部材の要部断面図である。
【図８】同上の着座検知装置の断面図である。
【符号の説明】
【００３５】
１  便座
７  上部材
８  下部材
１３  下面部
１４  脚部
１８  コーナー部
１９  支持部
【図１】
0004816682.tif 000002
【図２】
0004816682.tif 000003
【図３】
0004816682.tif 000004
【図４】
0004816682.tif 000005
【図５】
0004816682.tif 000006
【図６】
0004816682.tif 000007
【図７】
0004816682.tif 000008
【図８】
0004816682.tif 000009